(57)【要約】【課題】  エスカレーターの一定期間内の運転状況を記憶し、使用頻度を解析して、運転制御を自動で行うようにしたエスカレーター制御システムを得る。【解決手段】  乗降口付近に設置された乗客センサ８により検出される乗客の検出回数と重量センサ９により検出される重量と監視カメラ１０からの画像とを一定期間、日付、曜日、時間毎に記憶し、この一定期間の記憶に基づき、エスカレーターの運転状況を解析して、運転方向、運転速度、自動運転時間及び運転傾向を設定した運転スケジュールデータテーブル６を運転スケジュールデータ作成手段５により作成し、この作成された運転スケジュールデータテーブル６にしたがって、エスカレーター運転制御手段１により、運転制御を行うようにした。【選択図】図１
2006143450.tif 000002
【特許請求の範囲】
【請求項１】
エスカレーターの運転制御を行うエスカレーター制御システムにおいて、所定期間内の
上記エスカレーターの学習運転における曜日及び時間帯毎の運転状況を解析して、上記エ
スカレーターの曜日及び時間帯毎の運転条件を設定する運転スケジュールデータテーブル
を作成する運転スケジュールデータテーブル作成手段、及び上記運転スケジュールデータ
テーブルに従って上記エスカレーターを運転制御するエスカレーター運転制御手段を備え
たことを特徴とするエスカレーター制御システム。
【請求項２】
上記運転スケジュールデータテーブルの運転条件には、上記エスカレーターの起動から
停止までの自動運転時間、運転方向及び運転速度が含まれることを特徴とする請求項１記
載のエスカレーター制御システム。
【請求項３】
上記エスカレーターの乗客を検出する乗客センサ、上記エスカレーターの積載重量を検
出する重量センサ、及び上記乗客を撮像する監視カメラを備え、上記運転スケジュールデ
ータテーブル作成手段は、上記乗客センサにより検出された乗客の検出回数と上記重量セ
ンサにより検出された積載重量と上記監視カメラからの乗客画像とに基づき、上記曜日及
び時間帯毎の上記運転条件を設定することを特徴とする請求項１または請求項２記載のエ
スカレーター制御システム。
【請求項４】
上記乗客センサにより乗客が検出されたとき、上記エスカレーター運転制御手段により、
上記エスカレーターが起動され、上記運転スケジュールデータテーブルに基づく運転制御
が行われることを特徴とする請求項３記載のエスカレーター制御システム。
【請求項５】
エスカレーターの運転制御を行うエスカレーター制御方法において、所定期間上記エス
カレーターの学習運転を行い、運転状況を解析して、上記エスカレーターの運転条件を設
定する運転スケジュールデータテーブルを作成する第一のステップ、及びこの第一のステ
ップにより作成された運転スケジュールデータテーブルに従って、上記エスカレーターを
運転制御する第二のステップを含み、
上記第一のステップは、乗客センサにより乗客が検出された検出回数を曜日及び時間帯毎
に記憶する第三のステップと、重量センサにより入力された上記エスカレーターの積載重
量を上記曜日及び時間帯毎に記憶する第四のステップと、監視カメラからの乗客画像に基
づき画像解析を行い、上記曜日及び時間帯毎に乗客の特徴を記憶する第五のステップと、
上記学習運転が終了したとき、上記第三〜第五のステップによる曜日及び時間帯毎の記憶
に基づき、上記学習運転中のエスカレーターの運転状況を解析する第六のステップと、こ
の第六のステップによる解析結果に基づき、曜日及び時間帯毎に上記エスカレーターの運
転条件を設定する運転スケジュールデータテーブルを作成する第七のステップとを含むこ
とを特徴とするエスカレーター制御方法。
【発明の詳細な説明】
【技術分野】
【０００１】
この発明は、エスカレーターの運転を制御するエスカレーター制御システム及びエスカ
レーター制御方法に関するものである。
【背景技術】
【０００２】
従来のエスカレーターは、乗降口で人を検出したら起動し、所定時間が経過したら停止
する。エスカレーターの運転方向、運転速度、運転時間は、係員が乗降口付近のスイッチ
や監視室からの遠隔操作で設定される。
従来のエスカレーターは、運転速度や運転方向はあらかじめ設定された内容に従い運転
される。運転時間や運転速度を変更したい時や、運転方向を切替えたい場合などは、スイ
ッチ操作など何らかの手段で行なう。
特許文献１は、乗客コンベアを、スケジューラによって所定の時間帯だけ運転する場合
や、乗客コンベアへの利用者の乗り込みを検出して設定時間だけ自動的に起動、停止させ
る制御機能を有する場合に、乗客検出手段により、乗客コンベア中に乗客を検出したとき
、設定時間を超過しても運転を継続するようにしたものが、示されている。
【０００３】
【特許文献１】特開２００２−６８６５６号公報（第３〜４頁、図１）
【発明の開示】
【発明が解決しようとする課題】
【０００４】
上述のように、エスカレーターの運転時間や運転速度を変更したい時や、運転方向を切
替えたい場合などは、係員がスイッチ操作などを行う必要があった。
また、使用頻度に関係なく設定された運転方向、運転速度、運転時間に従って運転され
るため、輸送効率は、必ずしも良いとは言えなかった。
また、特許文献１のものでは、乗客コンベアを、スケジューラによって所定の時間帯だ
け運転する場合や、乗客コンベアへの利用者の乗り込みを検出して設定時間だけ自動的に
起動、停止させる制御機能を有する場合に、乗客検出手段により、乗客コンベア中に乗客
を検出したとき、設定時間を超過しても運転を継続するようにしたものであり、運転時間
、運転速度や運転方向の変更は、設定にしたがって行うものであった。
【０００５】
この発明は、上述のような課題を解決するためになされたものであり、エスカレーター
の一定期間内の運転状況を解析して、運転制御を自動で行うようにしたエスカレーター制
御システム及びエスカレーター制御方法を得ることを目的にしている。
【課題を解決するための手段】
【０００６】
この発明に係わるエスカレーター制御システムにおいては、エスカレーターの運転制御
を行うエスカレーター制御システムにおいて、所定期間内のエスカレーターの学習運転に
おける曜日及び時間帯毎の運転状況を解析して、エスカレーターの曜日及び時間帯毎の運
転条件を設定する運転スケジュールデータテーブルを作成する運転スケジュールデータテ
ーブル作成手段、及び運転スケジュールデータテーブルに従ってエスカレーターを運転制
御するエスカレーター運転制御手段を備えたものである。
【発明の効果】
【０００７】
この発明は、以上説明したように、エスカレーターの運転制御を行うエスカレーター制
御システムにおいて、所定期間内のエスカレーターの学習運転における曜日及び時間帯毎
の運転状況を解析して、エスカレーターの曜日及び時間帯毎の運転条件を設定する運転ス
ケジュールデータテーブルを作成する運転スケジュールデータテーブル作成手段、及び運
転スケジュールデータテーブルに従ってエスカレーターを運転制御するエスカレーター運
転制御手段を備えたので、エスカレーターの運転状況に応じた運転制御を行い、無駄なく
人を輸送することができる。
【発明を実施するための最良の形態】
【０００８】
実施の形態１．
図１は、この発明の実施の形態１によるエスカレーター制御システムを示す全体構成図
である。
図１において、エスカレーターは、エスカレーター運転制御手段１から出力される指令
をもとに、速度指令制御手段２から該当する電圧指令を出力し、エスカレーター駆動用モ
ーター３を駆動してエスカレーターを運転させる。エスカレーターの実際の速度は、速度
検出手段４で検出する。運転時間管理手段７から運転終了の指令が出力されると、エスカ
レーター運転制御手段１から速度指令制御手段２に対して運転停止の指令が出力される。
運転スケジュール作成手段５は、乗降口付近に設置された乗客センサー８の乗客検出回
数、重量センサー９によって検出されるエスカレーターの積載重量、ＣＣＤカメラなどの
監視カメラ１０から入力される乗客画像を解析して、運転スケジュールデータテーブル６
を作成する。ここで、重量センサー９は、乗場、降場の各ステップ下に設置され、ステッ
プに加わる圧力から重量を検出する。また、監視カメラ１０から入力される乗客画像の解
析は、入力された画像について、画素の明るさの濃淡から老若男女などの乗客の特徴を掴
む。
エスカレーター運転制御手段１は、運転スケジュールデータテーブル６、運転時間管理
手段７に従い運転制御を行う。
運転スケジュールデータテーブル６は、図５に示されるように、曜日及び時間帯毎の運
転条件を示す各種データであり、このデータには、運転方向、運転速度、自動運転時間、
運転傾向などが含まれる。
【０００９】
図２は、この発明の実施の形態１によるエスカレーター制御システムの停止中に乗客を
検出した時の自動運転の開始から停止までの速度パターン例を示す図である。
図２において、グラフの縦軸は運転速度、横軸は時間である。自動運転開始（乗客セン
サー検出）１４から、通常速度１２で、自動運転時間１３の間自動運転を行い、停止１１
する様子がグラフ化されている。
【００１０】
図３は、この発明の実施の形態１によるエスカレーター制御システムの運転制御の概略
フローを示すフローチャートである。
図４は、この発明の実施の形態１によるエスカレーター制御システムの運転状況の解析
ステップの詳細を示すフローチャートである。
図５は、この発明の実施の形態１によるエスカレーター制御システムの運転スケジュー
ルデータテーブルを示す図である。
【００１１】
次に、動作について、図１、図２、図３、図４、図５に基づき、説明する。
可変速運転をするエスカレーターにおいて、まず、自動運転の開始と停止の概略につい
て、図１、図２により説明する。
停止中のエスカレーターに乗り込もうとして人が近づいた時、乗降口付近に設置された
乗客センサー８がＯＮ（検出）すると、その情報を元にエスカレーター運転制御手段１は
、運転信号（方向、速度）を出力し、それに従って速度指令制御手段２が該当する電圧指
令を出力し、エスカレーター駆動用モーター３を駆動してエスカレーターを運転させる。
このときの運転パターンは、図２のようになる。乗客センサー８による検出で、起動が自
動的に開始され（自動運転開始１４）、設定された通常速度１２まで加速すると、設定さ
れた自動運転時間１３が満了するまで運転を継続し、自動運転時間１３が満了したら、停
止１１する。
【００１２】
この自動運転の運転制御の概略フローは、図３のようになる。
一定期間（所定期間）の学習運転における運転状況の解析（ステップＳ１、第一のステ
ップ）の結果を元に、運転制御を行い（ステップＳ２、第二のステップ）、学習運転にお
ける運転状況の解析結果により設定された運転条件に基づき、エスカレーターの起動・停
止を制御する。
【００１３】
次に、運転状況の解析（ステップＳ１）の詳細について、図４に基づき説明する。
運転状況の解析中かどうかをステップＳ１０で判断し、そうであれば、ステップＳ１１
へ飛ぶ。ステップＳ１１で乗客センサー８の状態を入力し、乗客の検出時は、ステップＳ
１２で検出回数をカウントし、その回数をステップＳ１３（第三のステップ）で日付・曜
日・時間毎に記憶する。検出回数の多少により、乗客の多少や人の流れを判断する。
次に、ステップＳ１４で重量センサー９の状態を入力し、ステップＳ１５で重量を計算
し、その重量をステップＳ１６（第四のステップ）で日付・曜日・時間毎に記憶する。重
量の多少により乗客の多少を判断する。次に、ステップＳ１７で、監視カメラの状態を入
力し、ステップＳ１８で画像を解析し、ステップＳ１９（第五のステップ）で、日付・曜
日・時間毎に解析結果を記憶する。この画像解析により乗客層を判断する。
次いで、運転状況を一定期間記憶したかどうかをステップＳ２０で判断し、一定期間記
憶を行なったら、ステップＳ２１で学習運転終了のフラグをセットする。記憶した内容か
ら、ステップＳ２２（第六のステップ）で、運転状況を解析して、ステップＳ２３（第七
のステップ）で運転スケジュールデータテーブル６を作成する。
【００１４】
このように、人の乗車状況からエスカレーター毎の運転状況の傾向をつかみ（学習運転
）、その結果から、図５に示されるように、エスカレーターの日付・曜日・時間毎の速度
や運転方向のデータベースである運転スケジュールデータテーブル６を作成する。
また、月、曜日、時間毎の傾向をつかみ、人の流れる量から運転方向を決める。すなわ
ち、上方向に向かう人が多い時間帯は、ＵＰ（上昇）方向に設定し、逆の場合は、ＤＮ（
下降）方向に設定する。
速度の設定は、人の量が多い時は、あらかじめ少し速度を上げるように速度設定をして
、輸送効率を上げる。また、その時は、自動運転時間も長く設定して、停止→起動→停止
が頻繁に繰り返されないようにする。人の量が少ない時は、無駄な運転をやめるために自
動運転時間を短く設定する。
運転傾向は、停止→起動→停止の間隔が短い時は、起動傾向にあると設定し、逆に間隔
が長い時は、停止傾向にあると設定する。
また、乗客層を判断して、年齢層等から運転速度を設定する。
【００１５】
実施の形態１によれば、エスカレーターの運転状況をもとに、自動で運転方向、運転速
度、運転時間を制御することで、無駄なく人を輸送することができる。
また、係員がわざわざエスカレーターのところまで行って運転方向等を変更しなくても
良い。
【００１６】
実施の形態２．
次に、実施の形態２について、図５、図６に基づき説明する。
図６は、この発明の実施の形態２によるエスカレーター制御システムの運転制御の詳細
を示すフローチャートである。
ステップＳ２９で日時を入力し、ステップＳ３０で運転スケジュールデータテーブル６
から該当する日時の各設定値を入力する。ステップＳ３１で、乗客センサー８による乗客
の検出時は、ステップＳ３２で、自動運転時間を更新する。そのままステップＳ３３へ進
み、運転状態をチェックする。自動運転の起動中は、そのままステップＳ３７へ進み、起
動を継続する。ステップＳ３３で、運転停止中であれば、ステップＳ３４で、運転方向を
設定し、ステップＳ３５で、運転速度を設定し、ステップＳ３６へ進み、自動運転時間を
設定し、ステップＳ３７へ進み起動する。
【００１７】
乗客センサー未検出時は、ステップＳ３８で、自動運転時間が満了していない時は、ス
テップＳ３７へ進んで、起動を継続する。自動運転時間が満了している時は、ステップＳ
３９へ進み、運転傾向から判断して停止傾向であれば、そのままステップＳ４０へ進んで
自動運転を停止させる。もともと停止している場合も同様にステップＳ３８→ステップＳ
３９→ステップＳ４０と進む。
次に、起動傾向である場合は、ステップＳ３３で、運転状態を確認し、起動中の場合は
、ステップＳ３６で、自動運転時間のみ更新し、そのままステップＳ３７へ進み、起動を
継続する。次に、自動運転が停止中である場合は、ステップＳ３４で、運転方向を設定し
、ステップＳ３５で運転速度を設定し、ステップＳ３６へ進み、自動運転時間を設定して
、ステップＳ３７へ進み、起動する。このように運転スケジュールデータテーブル６に設
定された内容に従い、運転を制御する。
【００１８】
実施の形態２によれば、運転スケジュールデータテーブルに設定された内容に従い、エ
スカレーターの運転を制御することができる。
【００１９】
実施の形態３．
次に、実施の形態３について、図５、図６に基づき説明する。
停止中に乗客センサー８により乗客を検出して起動する時は、ステップＳ３１→ステッ
プＳ３２→ステップＳ３３→ステップＳ３４へ進んで運転方向を設定する。また、乗客セ
ンサー８が未検出時でも、運転傾向が停止中から起動中に切り替わるようなタイミングの
時間が来た時は、ステップＳ３８→ステップＳ３９→ステップＳ３３→ステップＳ３４へ
進んで運転方向を設定する。
このように、停止中から起動する場合は、運転方向は、運転スケジュールデータテーブ
ル６の内容から設定される。そのため、運転状況の解析結果から運転の使用状況がＵＰ方
向からＤＮ方向に変わる時などは、自動的に運転方向を切替える。
【００２０】
実施の形態３によれば、自動運転を停止中から起動する場合の運転方向を自動的に切替
えることができる。
【００２１】
実施の形態４．
次に、実施の形態４について、図５、図６に基づき説明する。
停止中に乗客センサー８により乗客を検出して、起動する時は、ステップＳ３１→ステ
ップＳ３２→ステップＳ３３→ステップＳ３４→ステップＳ３５へ進んで運転速度を設定
する。また、乗客センサー８が未検出時でも、運転傾向が停止中から起動中に切り替わる
ようなタイミングの時間が来た時は、ステップＳ３８→ステップＳ３９→ステップＳ３３
→ステップＳ３４→ステップＳ３５へ進んで運転速度を設定する。このように停止中から
起動する場合の運転速度を、運転スケジュールデータテーブル６の内容に従い設定する。
そのため、運転状況の解析結果から運転速度を上げる場合や下げる場合には、自動的に
運転速度を切替える。
【００２２】
実施の形態４によれば、自動運転の停止中から起動する場合の運転速度を、自動的に切
替えることができる。
【図面の簡単な説明】
【００２３】
【図１】この発明の実施の形態１によるエスカレーター制御システムを示す全体構成図である。
【図２】この発明の実施の形態１によるエスカレーター制御システムの停止中に乗客を検出した時の自動運転の開始から停止までの速度パターン例を示す図である。
【図３】この発明の実施の形態１によるエスカレーター制御システムの運転制御の概略フローを示すフローチャートである。
【図４】この発明の実施の形態１によるエスカレーター制御システムの運転状況の解析ステップの詳細を示すフローチャートである。
【図５】この発明の実施の形態１によるエスカレーター制御システムの運転スケジュールデータテーブルを示す図である。
【図６】この発明の実施の形態２によるエスカレーター制御システムの運転制御の詳細を示すフローチャートである。
【符号の説明】
【００２４】
１  エスカレーター運転制御手段
２  速度指令制御手段
３  エスカレーター駆動用モーター
４  速度検出手段
５  運転スケジュール作成手段
６  運転スケジュールデータテーブル
７  運転時間管理手段
８  乗客センサー
９  重量センサー
１０  監視カメラ
【図１】
2006143450.tif 000003
【図２】
2006143450.tif 000004
【図３】
2006143450.tif 000005
【図４】
2006143450.tif 000006
【図５】
2006143450.tif 000007
【図６】
2006143450.tif 000008